(57)【要約】【課題】携帯端末における表示画面の操作性を向上させる。【解決手段】表示画像に基づいて、第１の画面レイヤと第２の画面レイヤとを生成するレイヤ生成部１１０と、タッチパネル機能を具備し、レイヤ生成部１１０が生成した第１の画面レイヤを表示する表示部１２０と、レイヤ生成部１１０が生成した第２の画面レイヤを表示するための画面情報を、外部に接続された表示装置へ出力する画面情報出力部１３０とを有し、レイヤ生成部１１０は、表示部１２０へのタッチ操作を用いて外部から情報を入力するための画像からなる画面を第１の画面レイヤとして生成し、第１の画面レイヤが表示部１２０に表示された場合に第１の画面レイヤに対する入力に基づいて表示が変化する画像からなる画面を第２の画面レイヤとして生成する。【選択図】図１
2015172623.tif 000002
【特許請求の範囲】
【請求項１】
表示画像に基づいて、第１の画面レイヤと第２の画面レイヤとを生成するレイヤ生成部と、
タッチパネル機能を具備し、前記レイヤ生成部が生成した第１の画面レイヤを表示する表示部と、
前記レイヤ生成部が生成した第２の画面レイヤを表示するための画面情報を、外部に接続された表示装置へ出力する画面情報出力部とを有し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する携帯端末。
【請求項２】
請求項１に記載の携帯端末において、
前記レイヤ生成部は、前記表示画像から入力ツール画像と情報表示画像とを分離し、前記入力ツール画像を含む画面を前記第１の画面レイヤとして生成し、前記情報表示画像を含む画面を前記第２の画面レイヤとして生成する携帯端末。
【請求項３】
請求項１に記載の携帯端末において、
アプリケーションの種類を示すアプリケーション種類と、前記情報を入力するための画像からなる画面とを対応付けたテーブルを記憶する記憶部を有し、
前記レイヤ生成部は、実行されているアプリケーションと前記テーブルとに基づいて、前記アプリケーションの種類に対応する前記情報を入力するための画像からなる画面を前記第１の画面レイヤとして生成する携帯端末。
【請求項４】
請求項１に記載の携帯端末において、
前記レイヤ生成部は、前記表示画像のデータを解析し、前記表示画像のデータに他のデータへのリンクが設定されている場合、前記表示画像のデータから前記リンクを抽出し、該抽出した前記リンクのそれぞれに識別子を付与し、前記表示画像の前記リンクに前記識別子を付加した画面を前記第２の画面レイヤとして生成し、前記識別子を選択する画像を含む画面を前記第１の画面レイヤとして生成する携帯端末。
【請求項５】
請求項１に記載の携帯端末において、
前記レイヤ生成部は、前記表示画像のデータを解析し、２つのディスプレイに異なる表示を行うものである場合、前記表示画像のデータから、該２つのディスプレイのうち第１のディスプレイに表示される入力ツールを表示するデータを抽出し、該抽出した入力ツールを表示するデータに対応する画像からなる画面を前記第１の画面レイヤとして生成し、前記入力ツールを表示するデータ以外のデータから、前記２つのディスプレイのうち第２のディスプレイに表示される画像からなる画面を前記第２の画面レイヤとして生成する携帯端末。
【請求項６】
請求項１から５のいずれか１項に記載の携帯端末において、
前記表示部は、前記レイヤ生成部が生成した第１の画面レイヤを所定の倍率で拡大して表示する携帯端末。
【請求項７】
請求項１から６いずれか１項に記載の携帯端末において、
当該携帯端末と前記表示装置とが接続されたことを検知する接続検知部を有し、
前記レイヤ生成部は、前記接続検知部が、当該携帯端末と前記表示装置とが接続されたことを検知した場合、前記第１の画面レイヤと前記第２の画面レイヤとを生成する携帯端末。
【請求項８】
請求項１から６いずれか１項に記載の携帯端末において、
当該携帯端末と前記表示装置とが接続されたことを検知する接続検知部を有し、
前記表示部は、前記接続検知部が、当該携帯端末と前記表示装置とが接続されたことを検知した場合、所定の確認表示を行い、
前記レイヤ生成部は、前記確認表示に対する入力に応じて、前記第１の画面レイヤと前記第２の画面レイヤとを生成する携帯端末。
【請求項９】
請求項１から８いずれか１項に記載の携帯端末において、
撮影部を有し、
前記表示部は、前記表示装置が表示している画面のうち、前記撮影部が撮影した部分を前記第２の画面レイヤから抽出して、所定の倍率で拡大表示する携帯端末。
【請求項１０】
タッチパネル機能を具備した表示部を具備する携帯端末と、前記表示部に表示する表示画像を生成する画像生成装置と、表示装置とを有する表示システムであって、
前記画像生成装置は、前記表示画像に基づいて、第１の画面レイヤと第２の画面レイヤとを生成するレイヤ生成部を有し、
前記表示部は、前記レイヤ生成部が生成した第１の画面レイヤを表示し、
前記表示装置は、前記レイヤ生成部が生成した第２の画面レイヤを表示し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する表示システム。
【請求項１１】
表示画像に基づいて、第１の画面レイヤと第２の画面レイヤとを生成するレイヤ生成処理と、
タッチパネル機能を具備した表示部に、前記生成した第１の画面レイヤを表示させる処理と、
前記第２の画面レイヤを表示するための画面情報を、外部に接続された表示装置へ出力する処理とを行い、
前記レイヤ生成処理では、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する表示方法。
【請求項１２】
コンピュータに、
表示画像に基づいて、第１の画面レイヤと第２の画面レイヤとを生成するレイヤ生成手順と、
タッチパネル機能を具備した表示部に、前記生成した第１の画面レイヤを表示させる手順と、
前記第２の画面レイヤを表示するための画面情報を、外部に接続された表示装置へ出力する手順とを実行させ、
前記レイヤ生成手順として、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する手順を実行させるためのプログラム。
【発明の詳細な説明】
【技術分野】
【０００１】
本発明は、情報を表示する携帯端末、表示システム、表示方法およびプログラムに関する。
【背景技術】
【０００２】
近年、スマートフォンやタブレット型端末に代表されるような、タッチパネル機能を具備した携帯端末が急速に普及してきている。このような携帯端末においては、情報を入力するためのキーボード等のハードウェアが搭載されておらず、利用者はタッチパネル機能を具備したディスプレイに表示されたキー等（以下、入力ツール画像と称する）を操作することで情報を入力する。
【０００３】
また、携帯端末においてはディスプレイのサイズが小さいため、表示される情報によっては視認しにくい場合もある。そこで、携帯端末に表示された画像を大きな画面のテレビジョン等（以下、外部ディスプレイ装置と称する）に表示させる技術が考えられている（例えば、非特許文献１参照。）。この技術を用いることで、携帯端末のような小さなディスプレイに表示された情報を見やすい表示とすることができる。
【先行技術文献】
【非特許文献】
【０００４】
【非特許文献１】“スマホ、タブレットの画面をワイヤレスでテレビに映し出す！  Ｍｉｒａｃａｓｔ対応  無線ＨＤＭＩアダプター「ミラプレ」”、［ｏｎｌｉｎｅ］、２０１３年６月１９日、Ｉ−Ｏ  ＤＡＴＡ、［平成２６年２月７日検索］、インターネット<URL:http://www.iodata.jp/news/2013/newprod/wfd-hdmi.htm>
【発明の概要】
【発明が解決しようとする課題】
【０００５】
非特許文献１に記載されたような技術は、携帯端末に表示されている画像をそのまま外部ディスプレイ装置に表示させるものである。このとき、携帯端末においては表示が変わらない。そのため、タッチパネル機能を具備した携帯端末にて、表示に従って入力操作を行う場合、小さなディスプレイでは操作が困難となってしまうおそれがある。
【０００６】
本発明の目的は、上述した課題を解決する携帯端末、表示システム、表示方法およびプログラムを提供することである。
【課題を解決するための手段】
【０００７】
本発明の携帯端末は、
表示画像に基づいて、第１の画面レイヤと第２の画面レイヤとを生成するレイヤ生成部と、
タッチパネル機能を具備し、前記レイヤ生成部が生成した第１の画面レイヤを表示する表示部と、
前記レイヤ生成部が生成した第２の画面レイヤを表示するための画面情報を、外部に接続された表示装置へ出力する画面情報出力部とを有し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する。
【０００８】
また、本発明の表示システムは、
タッチパネル機能を具備した表示部を具備する携帯端末と、前記表示部に表示する表示画像を生成する画像生成装置と、表示装置とを有する表示システムであって、
前記画像生成装置は、前記表示画像に基づいて、第１の画面レイヤと第２の画面レイヤとを生成するレイヤ生成部を有し、
前記表示部は、前記レイヤ生成部が生成した第１の画面レイヤを表示し、
前記表示装置は、前記レイヤ生成部が生成した第２の画面レイヤを表示し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する。
【０００９】
また、本発明の表示方法は、
表示画像に基づいて、第１の画面レイヤと第２の画面レイヤとを生成するレイヤ生成処理と、
タッチパネル機能を具備した表示部に、前記生成した第１の画面レイヤを表示させる処理と、
前記第２の画面レイヤを表示するための画面情報を、外部に接続された表示装置へ出力する処理とを行い、
前記レイヤ生成処理では、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する。
【００１０】
また、本発明のプログラムは、
コンピュータに実行させるためのプログラムであって、
表示画像に基づいて、第１の画面レイヤと第２の画面レイヤとを生成するレイヤ生成手順と、
タッチパネル機能を具備した表示部に、前記生成した第１の画面レイヤを表示させる手順と、
前記第２の画面レイヤを表示するための画面情報を、外部に接続された表示装置へ出力する手順とを実行させ、
前記レイヤ生成手順として、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する手順を実行させる。
【発明の効果】
【００１１】
以上説明したように、本発明においては、携帯端末における表示画面の操作性を向上させることができる。
【図面の簡単な説明】
【００１２】
【図１】本発明の携帯端末の第１の実施の形態を示す図である。
【図２】図１に示した携帯端末における表示方法の一例を説明するためのフローチャートである。
【図３】図１に示した表示部に表示された表示画像の一例を示す図である。
【図４】図３に示した表示画像に基づいて、図１に示したレイヤ生成部が生成した入力画面レイヤの一例を示す図である。
【図５】図３に示した表示画像に基づいて、図１に示したレイヤ生成部が生成した情報画面レイヤの一例を示す図である。
【図６】ステップＳ２にて表示部が入力画面レイヤを表示する一態様を示す図である。
【図７】本発明の携帯端末の第２の実施の形態を示す図である。
【図８】図７に示した携帯端末の表示部に表示された表示画像の一例を示す図である。
【図９】図７に示した携帯端末および表示装置における表示方法の一例を説明するためのシーケンス図である。
【図１０】ステップＳ１２にて表示部が入力画面レイヤを表示する一態様を示す図である。
【図１１】ステップＳ１４にて表示装置が情報画面レイヤを表示する一態様を示す図である。
【図１２】本発明の携帯端末の第３の実施の形態を示す図である。
【図１３】図１２に示した記憶部が記憶しているテーブルの一例を示す図である。
【図１４】図１２に示した携帯端末および表示装置における表示方法の一例を説明するためのシーケンス図である。
【図１５】ステップＳ２１にてレイヤ生成部が生成した入力画面レイヤの一例を示す図である。
【図１６】ステップＳ２１にてレイヤ生成部が生成した情報画面レイヤの一例を示す図である。
【図１７】ステップＳ２２にて表示部が入力画面レイヤを表示する一態様を示す図である。
【図１８】ステップＳ２４にて表示装置が情報画面レイヤを表示する一態様を示す図である。
【図１９】本発明の携帯端末の第４の実施の形態を示す図である。
【図２０】表示画像を表示させるためのソースデータの一例を示す図である。
【図２１】図２０に示したソースデータからレイヤ生成部が生成した入力画面レイヤの一例を示す図である。
【図２２】図２０に示したソースデータからレイヤ生成部が生成した情報画面レイヤの一例を示す図である。
【図２３】図１９に示した携帯端末および表示装置における表示方法の一例を説明するためのシーケンス図である。
【図２４】ステップＳ３３にて表示部が入力画面レイヤを表示する一態様を示す図である。
【図２５】ステップＳ３５にて表示装置が情報画面レイヤを表示する一態様を示す図である。
【図２６】本発明の携帯端末の第５の実施の形態を示す図である。
【図２７】図２６に示した携帯端末および表示装置における表示方法の一例を説明するためのシーケンス図である。
【図２８】本発明の携帯端末の第６の実施の形態を示す図である。
【図２９】図２８に示した表示部に表示された確認表示の一例を示す図である。
【図３０】図２８に示した携帯端末および表示装置における表示方法の一例を説明するためのシーケンス図である。
【図３１】本発明の携帯端末の第７の実施の形態を示す図である。
【図３２】図３１に示した表示システムにおける表示方法の一例を説明するためのシーケンス図である。
【図３３】図３１に示した形態の変形例を示す図である。
【図３４】図３３に示した表示システムにおける表示方法の一例を説明するためのシーケンス図である。
【図３５】本発明の携帯端末の第８の実施の形態を示す図である。
【図３６】図３５に示した携帯端末および表示装置における表示方法の一例を説明するためのシーケンス図である。
【図３７】図３５に示した撮影部が、表示装置が表示している画面の一部を撮影している様子の一例を示す図である。
【図３８】図３５に示した表示部が、撮影部が撮影した部分と情報画面レイヤとを照合している様子の一例を示す図である。
【図３９】ステップＳ８７にて、表示部が抽出した部分を拡大表示した表示例を示す図である。
【発明を実施するための形態】
【００１３】
以下に、本発明の実施の形態について図面を参照して説明する。
（第１の実施の形態）
図１は、本発明の携帯端末の第１の実施の形態を示す図である。
【００１４】
本形態における携帯端末１００には図１に示すように、レイヤ生成部１１０と、表示部１２０と、画面情報出力部１３０とが設けられている。なお、図１には、本形態における携帯端末１００に設けられた構成要素のうち、本実施の形態に関わる主要な構成要素の一例を示す。なお、携帯端末１００は、スマートフォンやタブレット型のパーソナルコンピュータ等の携帯端末である。第２〜７の実施の形態における携帯端末についても同様である。
【００１５】
レイヤ生成部１１０は、表示画像に基づいて、入力画面レイヤ（第１の画面レイヤ）と情報画面レイヤ（第２の画面レイヤ）とを生成する。この表示画像は、表示部１２０が表示するために携帯端末１００の内部で実行されたアプリケーションに基づいて所定の処理が行われ、携帯端末１００に搭載されている画像用メモリに記憶されている画像である。表示画像は、例えば、アプリケーションの実行画面やＷｅｂ画面であっても良いし、携帯端末１００に記憶されている、もしくは携帯端末１００がＷｅｂ上から取得した動画や静止画等のコンテンツ画像であっても良い。また、入力画面レイヤは、表示部１２０へのタッチ操作を用いて外部から情報を入力するための画像からなる画面である。入力画面レイヤは、例えば、表示画像が動画である場合、当該動画を操作するための再生ボタンや早送りボタン、巻き戻しボタン等の入力ツール画像から構成される。また、情報画面レイヤは、表示部１２０が表示している入力画面レイヤに対する入力操作に基づいて表示が変化する、動画や静止画等の情報表示画像からなる画面である。表示画像、入力画面レイヤおよび情報画面レイヤは、第２の実施の形態以降についても、本形態におけるものと同じである。
【００１６】
表示部１２０は、指や専用のペン等の接近や接触のタッチ操作を検知するタッチパネル機能を有するディスプレイである。また、表示部１２０は、上述した表示画像や、レイヤ生成部１１０が生成した入力画面レイヤを表示する。
【００１７】
画面情報出力部１３０は、レイヤ生成部１１０が生成した情報画面レイヤを表示するための画面情報を、外部に接続された表示装置へ出力する。
【００１８】
以下に、図１に示した携帯端末１００における表示方法について説明する。
【００１９】
図２は、図１に示した携帯端末１００における表示方法の一例を説明するためのフローチャートである。以下に説明する処理が行われていない状態では、図１に示した表示部１２０は、携帯端末１００の内部で処理され、携帯端末１００に設けられた画像用メモリに記憶されている表示画像を表示している。
【００２０】
図３は、図１に示した表示部１２０に表示された表示画像の一例を示す図である。
【００２１】
図１に示した表示部１２０には図３に示すように、表示画像１２００が表示されている。図３では、表示画像１２００が野球の動画である場合を例に挙げて示している。
【００２２】
所定のタイミングで、レイヤ生成部１１０は、表示部１２０に表示されている表示画像を解析し、その結果に基づいて、入力画面レイヤと情報画面レイヤとを生成する（ステップＳ１）。このタイミングについては、第２の実施の形態以降で説明する。
【００２３】
図４は、図３に示した表示画像に基づいて、図１に示したレイヤ生成部１１０が生成した入力画面レイヤの一例を示す図である。
【００２４】
図４に示すように、図１に示したレイヤ生成部１１０が生成した入力画面レイヤ１１０１は、巻き戻しボタン１１０１１、再生ボタン１１０１２および早送りボタン１１０１３の入力ツール画像を含む画面レイヤとなっている。レイヤ生成部１１０は、表示部１２０が表示している表示画像を解析し、当該表示画像が動画であると判定し、巻き戻しボタン１１０１１、再生ボタン１１０１２および早送りボタン１１０１３を入力操作に用いる表示であると判定して、図４に示すような入力画面レイヤ１１０１を生成する。なお、図４に示した破線で囲んだ部分は、画面レイヤの領域を示しており、表示部１２０のサイズと同等のものであっても良い。また、入力画面レイヤ１１０１における巻き戻しボタン１１０１１、再生ボタン１１０１２および早送りボタン１１０１３の位置や大きさについては、特に限定しない。
【００２５】
図５は、図３に示した表示画像に基づいて、図１に示したレイヤ生成部１１０が生成した情報画面レイヤの一例を示す図である。
【００２６】
図５に示すように、図１に示したレイヤ生成部１１０が生成した情報画面レイヤ１１０２は、図３に示した表示画像を含む画面レイヤとなっている。なお、図５に示した破線で囲んだ部分は、画面レイヤの領域を示しており、表示部１２０のサイズと同等のものであっても良い。また、情報画面レイヤ１１０２における情報表示画像の位置や大きさについては、特に限定しない。
【００２７】
続いて、表示部１２０は、レイヤ生成部１１０が生成した入力画面レイヤを表示する（ステップＳ２）。この入力画面レイヤの表示は、レイヤ生成部１１０が生成した入力画面レイヤのうち巻き戻しボタン１１０１１、再生ボタン１１０１２および早送りボタン１１０１３である部分を、表示部１２０のサイズに応じて拡大して表示するものであっても良い。
【００２８】
図６は、ステップＳ２にて表示部１２０が入力画面レイヤを表示する一態様を示す図である。
【００２９】
図１に示した表示部１２０には図６に示すように、巻き戻しボタン１１０１１、再生ボタン１１０１２および早送りボタン１１０１３が含まれた入力ツール画像１２０１を含む入力画面レイヤのみが表示され、図３に示した表示画像は表示されない。
【００３０】
また、画面情報出力部１３０は、レイヤ生成部１１０が生成した情報画面レイヤを表示するための画面情報を、外部に接続された表示装置へ出力する（ステップＳ３）。この画面情報は、表示画像のうちの情報画面レイヤを外部の表示装置に表示させるための情報である。外部に接続された表示装置は、出力されてきた画面情報に基づいて情報画面レイヤを表示する。
【００３１】
このように、レイヤ生成部１１０は、表示される表示画像に基づいて、入力操作を行うための入力画面レイヤと、入力操作に応じて変化する情報画面レイヤとを生成する。携帯端末１００の表示部１２０は入力画面レイヤを表示する。また、画面情報出力部１３０は、外部に接続された表示装置に情報画面レイヤを表示させるための画面情報を出力する。これにより、携帯端末１００における表示画面の操作性を向上させることができる。
（第２の実施の形態）
図７は、本発明の携帯端末の第２の実施の形態を示す図である。本形態は、表示部に表示されている表示画像に、表示部へのタッチ操作を用いて外部から情報を入力するための入力ツール画像が含まれている場合の形態である。
【００３２】
本形態は図７に示すように、携帯端末１０１と、表示装置２００とが接続された形態である。携帯端末１０１と表示装置２００とは、有線を用いて接続されているものであっても良いし、無線を用いて無線信号をやり取りするものであっても良い。
【００３３】
本形態における携帯端末１０１には図７に示すように、レイヤ生成部１１１と、表示部１２０と、画面情報出力部１３０とが設けられている。なお、図７には、本形態における携帯端末１０１に設けられた構成要素のうち、本実施の形態に関わる主要な構成要素の一例を示す。
【００３４】
表示部１２０および画面情報出力部１３０は、第１の実施の形態にて説明したものと同じものである。
【００３５】
レイヤ生成部１１１は、表示画像に基づいて、入力画面レイヤ（第１の画面レイヤ）と情報画面レイヤ（第２の画面レイヤ）とを生成する。本形態においてこの表示画像には、表示部１２０へのタッチ操作を用いて外部から情報を入力するための画像が含まれる。つまり、表示画像には、図６に示したような入力ツール画像が含まれる。レイヤ生成部１１１は、この表示画像から、入力ツール画像と、情報表示画像とを分離することで、入力ツール画像を含む入力画面レイヤと情報表示画像を含む情報画面レイヤとを生成する。
【００３６】
図８は、図７に示した携帯端末１０１の表示部１２０に表示された表示画像の一例を示す図である。
【００３７】
図７に示した携帯端末１０１の表示部１２０には図８に示すように、表示画像１２１０が表示されている。この表示画像１２１０には、図６を用いて説明した入力ツール画像１２０１が含まれている。表示部１２０がこのような表示画像１２１０を表示すると、入力ツール画像１２０１が表示画像１２１０の一部を隠してしまい、表示画像１２１０を見えにくい表示としてしまう。また、表示画像１２１０を見えにくい表示とさせないためには、入力ツール画像１２０１の表示領域を制限することとなり、入力操作の利便性を損なうこととなってしまう。
【００３８】
表示装置２００は、携帯端末１０１の表示部１２０のサイズよりも大きなディスプレイを具備する装置である。例えば、表示装置２００は、パーソナルコンピュータやテレビジョン受像機、モニタ装置であっても良い。また、表示装置２００は、携帯端末１０１の表示部１２０のサイズよりも大きなスクリーンに画像を投影するプロジェクタ等であっても良い。表示装置２００は、携帯端末１０１から出力されてきた画面情報に基づいて情報画面レイヤを情報表示画像として表示する。
【００３９】
以下に、図７に示した形態における表示方法について説明する。
【００４０】
図９は、図７に示した携帯端末１０１および表示装置２００における表示方法の一例を説明するためのシーケンス図である。
【００４１】
所定のタイミングで、レイヤ生成部１１１は、表示部１２０に表示されている表示画像から、入力画面レイヤと情報画面レイヤとを分離することで、入力画面レイヤおよび情報画面レイヤを生成する（ステップＳ１１）。このとき、レイヤ生成部１１１は、表示部１２０に表示されている表示画像を解析し、当該表示画像のうち、どの部分が入力ツール画像であって、どの部分が情報表示画像であるかを判定し、入力ツール画像が含まれる入力画面レイヤと、情報表示画像が含まれる情報画面レイヤとを生成する。
【００４２】
また、レイヤ生成部１１１が入力画面レイヤと情報画面レイヤとを生成するタイミングは、例えば、表示部１２０に対して所定の操作が行われたことを検知したときや、携帯端末１０１に具備されたハードウェアで構成されるボタンやキーが操作されたことを検知したときであっても良い。また、このタイミングは、携帯端末１０１がマイク等の集音機能および音声認識機能を具備している場合、あらかじめ設定された音声が外部から入力されたことが認識されたときであっても良い。
【００４３】
レイヤ生成部１１１が生成した入力画面レイヤおよび情報画面レイヤは、図４および図５を用いてそれぞれ説明したものと同じである。
【００４４】
続いて、表示部１２０は、レイヤ生成部１１１が生成した入力画面レイヤを表示する（ステップＳ１２）。
【００４５】
図１０は、ステップＳ１２にて表示部１２０が入力画面レイヤを表示する一態様を示す図である。
【００４６】
図７に示した表示部１２０には図１０に示すように、巻き戻しボタン１１０１１、再生ボタン１１０１２および早送りボタン１１０１３が含まれた入力ツール画像１２０１を含む入力画面レイヤのみが表示され、図８に示した表示画像１２１０は表示されない。
【００４７】
また、画面情報出力部１３０は、レイヤ生成部１１１が生成した情報画面レイヤを表示するための画面情報を表示装置２００へ出力する（ステップＳ１３）。この画面情報は、表示画像のうちの情報表示画像が含まれる情報画面レイヤを表示装置２００に表示させるための情報である。すると、表示装置２００は、出力されてきた画面情報に基づいて、情報表示画像が含まれる情報画面レイヤを表示する（ステップＳ１４）。
【００４８】
図１１は、ステップＳ１４にて表示装置２００が情報画面レイヤを表示する一態様を示す図である。
【００４９】
図７に示した表示装置２００には図１１に示すように、携帯端末１０１から出力されてきた画面情報に基づいて、情報表示画像１２０２が含まれる情報画面レイヤが表示される。このとき、表示装置２００は入力ツール画像を表示しないため、表示されている情報表示画像１２０２が入力ツール画像とともに表示されているときと比較して、情報表示画像１２０２が見やすい態様で表示が行われる。
【００５０】
なお、変形例として、表示部１２０は、レイヤ生成部１１１が生成した情報画面レイヤも表示し、表示した情報画面レイヤの上層に重ねてレイヤ生成部１１１が生成した入力画面レイヤを表示するものであっても良い。
【００５１】
このように、レイヤ生成部１１１は、表示されている入力ツール画像が含まれた表示画像から、入力操作を行うための入力画面レイヤと、入力操作に応じて変化する情報画面レイヤとを分離して生成する。そして、携帯端末１０１の表示部１２０は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。これにより、携帯端末１０１における表示画面の操作性を向上させることができる。
（第３の実施の形態）
図１２は、本発明の携帯端末の第３の実施の形態を示す図である。本形態は、表示部に表示されている表示画像に、表示部へのタッチ操作を用いて外部から情報を入力するための入力ツール画像が含まれていない場合の形態である。
【００５２】
本形態は図１２に示すように、携帯端末１０２と、表示装置２００とが接続された形態である。携帯端末１０２と表示装置２００とは、有線を用いて接続されているものであっても良いし、無線を用いて無線信号をやり取りするものであっても良い。
【００５３】
表示装置２００は、第２の実施の形態で説明したものと同じものである。
【００５４】
携帯端末１０２には図１２に示すように、レイヤ生成部１１２と、表示部１２０と、画面情報出力部１３０と、記憶部１４０とが設けられている。なお、図１２には、本形態における携帯端末１０２に設けられた構成要素のうち、本実施の形態に関わる主要な構成要素の一例を示す。
【００５５】
表示部１２０および画面情報出力部１３０は、第１の実施の形態にて説明したものと同じものである。
【００５６】
レイヤ生成部１１２は、表示画像に基づいて、入力画面レイヤ（第１の画面レイヤ）と情報画面レイヤ（第２の画面レイヤ）とを生成する。このとき、レイヤ生成部１１２は、表示画像に応じた入力画面レイヤを記憶部１４０から読み出し、表示画像が含まれる画面を情報画面レイヤとする。
【００５７】
記憶部１４０は、アプリケーションの種類と入力画面レイヤとをあらかじめ対応付けたテーブルと、入力ツール画像を含む入力画面レイヤのデータを記憶する。
【００５８】
図１３は、図１２に示した記憶部１４０が記憶しているテーブルの一例を示す図である。
【００５９】
図１２に示した記憶部１４０が記憶しているテーブルは図１３に示すように、アプリケーションそれぞれにあらかじめ付与されたアプリケーション識別子と、アプリケーションの種類を示すアプリケーション種類と、入力画面レイヤとが対応付けたものとなっている。レイヤ生成部１１２は、実行されているアプリケーションからそのアプリケーションに付与されたアプリケーション識別子（アプリケーション名や型番等）を識別する。そして、レイヤ生成部１１２は、このテーブルを用いて、識別したアプリケーション識別子が付与されたアプリケーションの種類を判定し、判定したアプリケーションの種類に対応する入力ツール画像を含む入力画面レイヤを記憶部１４０から読み出す。例えば、現在実行されているアプリケーションのアプリケーション識別子が「ａ００１」であれば、レイヤ生成部１１２は、テーブルを参照し、そのアプリケーションの種類が「Ａ」であり、「Ａ」と対応付けられている入力ツール画像を含む入力画面レイヤを「ＬＡ」と判定し、「ＬＡ」の入力画面レイヤを記憶部１４０から読み出す。なお、この処理の対象となるアプリケーションを、表示装置２００に画面情報を出力しない場合に、表示部１２０に表示され、外部からの入力に基づいて操作されるアプリケーションとするものであっても良い。また、表示装置２００に画面情報を出力しない場合でも、表示部１２０に表示されないアプリケーションや、外部からの入力に基づいて操作されないアプリケーションを上記の処理の対象外とするものであっても良い。
【００６０】
記憶部１４０が記憶しているテーブルについて、さらなる具体例を挙げて説明する。
【００６１】
例えば、記憶部１４０は、アプリケーションの種類としてＷｅｂブラウザと、「戻る」や「進む」等のＷｅｂページの更新を指示するためのボタンや、表示されたＷｅｂページの文字を読み上げるための「記事を音声で読み上げる」等のボタンの入力ツール画像を表示する入力画面レイヤとを対応付けて記憶する。また、記憶部１４０は、アプリケーションの種類としてＷｅｂブラウザと、Ｗｅｂページ上のカーソルを移動させるための矢印キーの入力ツール画像を表示する入力画面レイヤとを対応付けて記憶する。また、記憶部１４０は、アプリケーションの種類として買い物を行うためのショッピングアプリケーションと、「購入する」や「買い物かごを見る」等のネットワーク上の買い物の手続きに必要なボタンの入力ツール画像を表示する入力画面レイヤとを対応付けて記憶する。また、記憶部１４０は、アプリケーションの種類として電子書籍を読むための読書アプリケーションと、「音声で読み上げる」や「ページをめくる」、「前のページに戻る」等の電子書籍を読むときに必要なボタンの入力ツール画像を表示する入力画面レイヤとを対応付けて記憶する。また、記憶部１４０は、アプリケーションの種類として動画を再生するアプリケーションと、「巻き戻し」や「再生」、「早送り」等の動画を再生するときに必要なボタンの入力ツール画像を表示する入力画面レイヤとを対応付けて記憶する。また、記憶部１４０は、アプリケーションの種類として何らかの文字等を入力するアプリケーションと、キーボードや手書き文字入力用のパレット等の文字を入力するためのツールの入力ツール画像を表示する入力画面レイヤとを対応付けて記憶する。また、記憶部１４０は、アプリケーションの種類として電子メールアプリケーションと、「作成」や「送信」等の電子メールの操作を指示するためのボタンや、受信メールの差出人や本文等の文字を読み上げるための「音声で読み上げる」等のボタンの入力ツール画像を表示する入力画面レイヤとを対応付けて記憶する。
【００６２】
以下に、図１２に示した形態における表示方法について説明する。
【００６３】
図１４は、図１２に示した携帯端末１０２および表示装置２００における表示方法の一例を説明するためのシーケンス図である。ここでは、実行しているアプリケーションの種類がＷｅｂブラウザである場合、つまり、表示画像がＷｅｂページである場合を例に挙げて説明する。
【００６４】
所定のタイミングで、レイヤ生成部１１２は、表示部１２０に表示されている表示画像に基づいて、入力画面レイヤと情報画面レイヤとを生成する（ステップＳ２１）。このとき、レイヤ生成部１１２は、実行されているアプリケーションに基づいて、記憶部１４０に記憶されているテーブルから入力画面レイヤを読み出す。なお、レイヤ生成部１１２が入力画面レイヤと情報画面レイヤとを生成するタイミングは、第２の実施の形態で説明したものと同じで良い。
【００６５】
図１５は、ステップＳ２１にてレイヤ生成部１１２が生成した入力画面レイヤの一例を示す図である。
【００６６】
図１５に示すように、Ｗｅｂページ上に文字を入力したり、Ｗｅｂページ上で表示されているカーソルを移動したりするためのキーボードを含む入力画面レイヤ１１１１が生成される。
【００６７】
また、レイヤ生成部１１２は、例えば、Ｗｅｂブラウザに応じた入力画面レイヤを生成する際、表示を元の画面に戻す「戻る」を示すボタンと、表示するＷｅｂサイトやアプリケーションに応じた入力ボタンとの２つのボタンを含む入力画面レイヤを生成するものであっても良い。この表示するＷｅｂサイトやアプリケーションに応じた入力ボタンは、同じＷｅｂサイトやアプリケーションであっても、画面ごとに切り替えることができるものであっても良い。
【００６８】
図１６は、ステップＳ２１にてレイヤ生成部１１２が生成した情報画面レイヤの一例を示す図である。
【００６９】
図１６に示すように、Ｗｅｂブラウザを用いたＷｅｂページを含む情報画面レイヤ１１１２が生成される。
【００７０】
続いて、表示部１２０は、レイヤ生成部１１２が生成した入力画面レイヤを表示する（ステップＳ２２）。
【００７１】
図１７は、ステップＳ２２にて表示部１２０が入力画面レイヤを表示する一態様を示す図である。
【００７２】
図１７に示すように、表示部１２０にはキーボードを示す入力ツール画像１２１１からなる入力画面レイヤが表示される。このとき、表示部１２０は、入力画面レイヤを所定の倍率で拡大して標示するものであっても良い。例えば、表示部１２０は、入力画面レイヤのうち、入力ツール画像１２１１全体が表示できる最大の倍率で拡大して表示するものであっても良い。
【００７３】
また、画面情報出力部１３０は、レイヤ生成部１１２が生成した情報画面レイヤを表示するための画面情報を表示装置２００へ出力する（ステップＳ２３）。この画面情報は、表示画像のうちの情報表示画像が含まれる情報画面レイヤを表示装置２００に表示させるための情報である。すると、表示装置２００は、出力されてきた画面情報に基づいて情報画面レイヤを情報表示画像として表示する（ステップＳ２４）。
【００７４】
図１８は、ステップＳ２４にて表示装置２００が情報画面レイヤを表示する一態様を示す図である。
【００７５】
図１２に示した表示装置２００には図１８に示すように、携帯端末１０２から出力されてきた画面情報に基づいて、情報表示画像１２１２が含まれた情報画面レイヤが表示される。
【００７６】
また、Ｗｅｂページ上に表示された情報に、他のＷｅｂページ等のデータへのリンクが張られている（ＨＴＭＬ等のソースデータに他のＷｅｂページ等のデータへの接続先が設定されている）場合、レイヤ生成部１１２は、以下の処理を行うものであっても良い。レイヤ生成部１１２は、Ｗｅｂページ上のリンクをＨＴＭＬ等のソースデータのタグやＵＲＬ等を基に抽出し、抽出したリンクのそれぞれを識別する番号や文字、記号等の識別子を、当該抽出したリンクに付与する。そして、レイヤ生成部１１２は、Ｗｅｂページ上のリンクに対して、それぞれに付与した番号や文字、記号等の識別子を付加した画面情報を情報画面レイヤとして生成し、付与した番号や文字、記号等の識別子を選択するためのボタンやキー等の入力ツール画像を含む入力画面レイヤを生成する。すると、生成された入力画面レイヤが表示部１２０に、また情報画面レイヤが表示装置２００に表示される。その後、表示部１２０に表示されたボタンやキー等の入力ツール画像が、表示部１２０への利用者の接触等の操作で選択されたことを表示部１２０が検知すると、携帯端末１０２は、対応する番号や文字、記号等が情報画面レイヤ上で付加されている情報に張られているリンクに基づいて、リンク先に接続し、リンク先から取得した情報を基に、情報画面レイヤの画面情報を更新する処理を行う。
【００７７】
このように、レイヤ生成部１１２は、表示される表示画像に基づいて、入力操作を行うための入力画面レイヤと、入力操作に応じて変化する情報画面レイヤとを生成する。携帯端末１０２の表示部１２０は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。これにより、携帯端末１０２における表示画面の操作性を向上させることができる。
（第４の実施の形態）
図１９は、本発明の携帯端末の第４の実施の形態を示す図である。本形態は、表示画像が２つのディスプレイに異なる表示を行うものである、つまり、２画面表示を行うものである形態である。
【００７８】
本形態は図１９に示すように、携帯端末１０３と、表示装置２００とが接続された形態である。携帯端末１０３と表示装置２００とは、有線を用いて接続されているものであっても良いし、無線を用いて無線信号をやり取りするものであっても良い。
【００７９】
表示装置２００は、第２の実施の形態で説明したものと同じものである。
【００８０】
携帯端末１０３には図１９に示すように、レイヤ生成部１１３と、表示部１２０と、画面情報出力部１３０とが設けられている。なお、図１９には、本形態における携帯端末１０３に設けられた構成要素のうち、本実施の形態に関わる主要な構成要素の一例を示す。
【００８１】
表示部１２０および画面情報出力部１３０は、第１の実施の形態にて説明したものと同じものである。
【００８２】
レイヤ生成部１１３は、表示画像に基づいて、入力画面レイヤ（第１の画面レイヤ）と情報画面レイヤ（第２の画面レイヤ）とを生成する。この表示画像は、２つのディスプレイにそれぞれ対応した表示が行われる画像である。レイヤ生成部１１３は、例えば、表示画像がＷｅｂブラウザを用いて表示される画像である場合、ＨＴＭＬ（ＨｙｐｅｒＴｅｘｔ  Ｍａｒｋｕｐ  Ｌａｎｇｕａｇｅ）の言語で作成されたＷｅｂブラウザの表示用のソースデータを解析する。そして、レイヤ生成部１１３は、その解析結果に基づいて、２つのディスプレイのうち一方のディスプレイ（第１のディスプレイ）に表示される画像からなる画面を入力画面レイヤとして生成し、他方のディスプレイ（第２のディスプレイ）に表示される画像からなる画面を情報画面レイヤとして生成する。この第１のディスプレイは表示部１２０であり、第２のディスプレイは表示装置２００である。レイヤ生成部１１３は、ソースデータにて、情報を入力するための表示を行う記述部分から入力画面レイヤを生成し、それ以外の表示を行う記述部分から情報画面レイヤを生成する。また、レイヤ生成部１１３は、ソースデータにて、自機の表示部が表示を行う記述部分から入力画面レイヤを生成し、それ以外の表示を行う記述部分、または外部ディスプレイが表示を行う記述部分から情報画面レイヤを生成するものであっても良い。
【００８３】
図２０は、表示画像を表示させるためのソースデータの一例を示す図である。
【００８４】
図２０に示すように、旅行のホームページを表示させるためのソースデータのうち、破線で囲まれた部分が２画面表示を行う際に自機の表示部が入力ツールを表示するための記述部分となっている。レイヤ生成部１１３は、この破線で囲まれた部分の記述から入力画面レイヤを生成する。また、レイヤ生成部１１３は、この破線で囲まれた部分以外の部分の記述から情報画面レイヤを生成する。また、図２０に示したソースデータにおいては、Ｗｅｂページ上に表示される情報に数字が付加され、また、表示される情報と接続先とにリンクが張られている。また、自機の表示部が表示するための記述部分では、数字と接続先とにリンクが張られている。
【００８５】
図２１は、図２０に示したソースデータからレイヤ生成部１１３が生成した入力画面レイヤの一例を示す図である。
【００８６】
図２１に示すように、レイヤ生成部１１３が生成した入力画面レイヤ１１２１には、表示されたＷｅｂページを利用者が操作するためのボタンが含まれる。これは、図２０に示した破線で囲まれた部分の記述に基づいて生成されるものである。
【００８７】
図２２は、図２０に示したソースデータからレイヤ生成部１１３が生成した情報画面レイヤの一例を示す図である。
【００８８】
図２２に示すように、レイヤ生成部１１３が生成した情報画面レイヤ１１２２には、Ｗｅｂブラウザを用いたＷｅｂページが含まれる。これは、図２０に示した破線で囲まれた部分以外の部分の記述に基づいて生成されるものである。
【００８９】
以下に、図１９に示した形態における表示方法について説明する。
【００９０】
図２３は、図１９に示した携帯端末１０３および表示装置２００における表示方法の一例を説明するためのシーケンス図である。ここでは、実行しているアプリケーションの種類がＷｅｂブラウザである場合、つまり、表示画像がＷｅｂページである場合を例に挙げて説明する。
【００９１】
まず、レイヤ生成部１１３は、Ｗｅｂブラウザの表示用のソースデータを解析する（ステップＳ３１）。解析の結果、ソースデータに入力ツールを表示するタグなどの識別子で指定されたデータが抽出された場合、レイヤ生成部１１３は、２つのディスプレイに互いに異なる表示を行うものと判定する。そして、レイヤ生成部１１３は、解析結果に基づいて、抽出された入力ツールを表示するデータに基づいた入力画面レイヤと、入力ツールを表示するデータ以外のデータに基づいた情報画面レイヤとを生成する（ステップＳ３２）。
【００９２】
続いて、表示部１２０は、レイヤ生成部１１３が生成した入力画面レイヤを表示する（ステップＳ３３）。
【００９３】
図２４は、ステップＳ３３にて表示部１２０が入力画面レイヤを表示する一態様を示す図である。
【００９４】
図２４に示すように、表示部１２０には、Ｗｅｂページを利用者が操作するためのボタンが含まれる入力ツール画像１２２１からなる入力画面レイヤが表示される。このとき、表示部１２０は、入力画面レイヤを所定の倍率で拡大して標示するものであっても良い。例えば、表示部１２０は、入力画面レイヤのうち、入力ツール画像１２２１全体が表示できる最大の倍率で拡大して表示するものであっても良い。
【００９５】
また、画面情報出力部１３０は、レイヤ生成部１１３が生成した情報画面レイヤを表示するための画面情報を表示装置２００へ出力する（ステップＳ３４）。この画面情報は、表示画像のうちの情報表示画像が含まれる情報画面レイヤを表示装置２００に表示させるための情報である。すると、表示装置２００は、出力されてきた画面情報に基づいて情報画面レイヤを情報表示画像として表示する（ステップＳ３５）。
【００９６】
図２５は、ステップＳ３５にて表示装置２００が情報画面レイヤを表示する一態様を示す図である。
【００９７】
図１９に示した表示装置２００には図２５に示すように、携帯端末１０３から出力されてきた画面情報に基づいて、情報表示画像１２２２が含まれた情報画面レイヤが表示される。
【００９８】
図２４に示したように表示された「１」のボタンと、図２５に示したように表示された「１」が付加された情報「ハワイ４泊５日」とがソースデータ上でリンクされており、さらに、図２５に示したように表示された情報「ハワイ４泊５日」とその接続先とがソースデータ上でリンクされている。これにより、図２４に示したように表示された「１」のボタンを利用者の接触等の操作で選択することで、図２５に示したように表示された「１」が付加された情報「ハワイ４泊５日」の接続先へ接続され、表示装置２００は、その接続先のＷｅｂページを表示する。また、図２４に示したように表示された「２」のボタンと、図２５に示したように表示された「２」が付加された情報「韓国１泊２日」とがソースデータ上でリンクされており、さらに、図２５に示したように表示された情報「韓国１泊２日」とその接続先とがソースデータ上でリンクされている。これにより、図２４に示したように表示された「２」のボタンを利用者の接触等の操作で選択することで、図２５に示したように表示された「２」が付加された情報「韓国１泊２日」の接続先へ接続され、表示装置２００は、その接続先のＷｅｂページを表示する。また、図２４に示したように表示部１２０が表示している「２画面出力終了」のボタンを利用者の接触等の操作で選択することで、２画面表示が終了する。また、図２４に示したように表示部１２０が表示している矢印のボタンを利用者の接触等の操作で選択することで、表示装置２００が表示しているＷｅｂページが更新される。
【００９９】
また、表示装置２００に表示された情報の音声合成による読み上げボタンや手書き文字入力を表示するボタン、キーボードや数字キーのパレットなども同様に、自機の表示部１２０に表示するものとして、表示ソースデータに記述しておくものであっても良い。また、携帯端末１０３に表示装置２００が接続されていない場合は、入力ツールを表示するデータ以外のデータに基づいた画面を表示部１２０が表示する。
【０１００】
このように、レイヤ生成部１１３は、表示される表示画像のソースデータを解析し、その解析結果に基づいて、入力操作を行うための入力画面レイヤと、入力操作に応じて変化する情報画面レイヤとを生成する。携帯端末１０３の表示部１２０は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。これにより、携帯端末１０３における表示画面の操作性を向上させることができる。
（第５の実施の形態）
図２６は、本発明の携帯端末の第５の実施の形態を示す図である。本形態は、レイヤ生成部が入力画面レイヤおよび情報画面レイヤを生成するタイミングについて、第１〜４の実施の形態で説明したものとは異なるタイミングを用いた形態である。
【０１０１】
本形態は図２６に示すように、携帯端末１０４と、表示装置２００とが接続された形態である。携帯端末１０４と表示装置２００とは、有線を用いて接続されているものであっても良いし、無線を用いて無線信号をやり取りするものであっても良い。
【０１０２】
表示装置２００は、第２の実施の形態で説明したものと同じものである。
【０１０３】
携帯端末１０４には図２６に示すように、レイヤ生成部１１４と、表示部１２０と、画面情報出力部１３０と、接続検知部１５０とが設けられている。なお、図２６には、本形態における携帯端末１０４に設けられた構成要素のうち、本実施の形態に関わる主要な構成要素の一例を示す。
【０１０４】
表示部１２０および画面情報出力部１３０は、第１の実施の形態にて説明したものと同じものである。
【０１０５】
接続検知部１５０は、携帯端末１０４と表示装置２００とが接続されたことを検知する。この接続の検知方法は、例えば、接続検知部１５０が所定の信号を出力し、当該信号に応答する応答信号が表示装置２００から出力されてきたことを接続検知部１５０が検出した場合、携帯端末１０４と表示装置２００とが接続されたと判定する等、一般的な接続を検知する方法で良く、特に規定しない。また、接続検知部１５０は、携帯端末１０４と表示装置２００とが接続された状態で、表示装置２００の電源が投入されたとき、携帯端末１０４と表示装置２００とが接続されたと判定するものであっても良い。つまり、接続検知部１５０は、携帯端末１０４と表示装置２００とが接続されていても、表示装置２００の電源が投入されていない状態では、携帯端末１０４と表示装置２００とが接続されたとは判定しないものであっても良い。また、接続検知部１５０は、携帯端末１０４と表示装置２００とが接続されていると判定している状態で、表示装置２００の電源が切断されたとき、携帯端末１０４と表示装置２００との接続が切断（解除）されたと判定するものであっても良い。また、接続検知部１５０は、携帯端末１０４と表示装置２００との接続を検知したとき、その旨をレイヤ生成部１１４へ通知する。また、接続検知部１５０は、携帯端末１０４と表示装置２００との接続の切断（解除）を検知したとき、その旨をレイヤ生成部１１４へ通知する。また、接続検知部１５０は、携帯端末１０４と、電源が投入されていない表示装置２００とが接続されていることを検知した場合、表示装置２００に対して電源を投入する指示を行うものであっても良い。
【０１０６】
レイヤ生成部１１４は、接続検知部１５０から、携帯端末１０４と表示装置２００とが接続された旨が通知されてきた場合、表示画像に基づいて、入力画面レイヤ（第１の画面レイヤ）と情報画面レイヤ（第２の画面レイヤ）とを生成する。入力画面レイヤおよび情報画面レイヤの生成方法は、第１〜４の実施の形態で説明したものと同じである。また、レイヤ生成部１１４は、接続検知部１５０から、携帯端末１０４と表示装置２００との接続が切断（解除）された旨が通知されてきた場合や、表示装置２００を認識できない旨が通知されてきた場合、入力画面レイヤおよび情報画面レイヤの生成を中止する。このとき、表示部１２０における表示は、入力画面レイヤではなく、通常の表示画像の表示に戻る。
【０１０７】
以下に、図２６に示した形態における表示方法について説明する。
【０１０８】
図２７は、図２６に示した携帯端末１０４および表示装置２００における表示方法の一例を説明するためのシーケンス図である。
【０１０９】
まず、接続検知部１５０が、携帯端末１０４と表示装置２００とが接続されたかどうかを判定する（ステップＳ４１）。接続の検知方法は、上述した通りである。接続検知部１５０が、携帯端末１０４と表示装置２００との接続を検知すると、レイヤ生成部１１４は、表示部１２０に表示されている表示画像に基づいて、入力画面レイヤと情報画面レイヤとを生成する（ステップＳ４２）。入力画面レイヤおよび情報画面レイヤの生成方法は、第１〜４の実施の形態で説明したものと同じである。
【０１１０】
続いて、表示部１２０は、レイヤ生成部１１４が生成した入力画面レイヤを表示する（ステップＳ４３）。また、画面情報出力部１３０は、レイヤ生成部１１４が生成した情報画面レイヤを表示するための画面情報を表示装置２００へ出力する（ステップＳ４４）。すると、表示装置２００は、出力されてきた画面情報に基づいて情報画面レイヤを情報表示画像として表示する（ステップＳ４５）。ここで、表示装置２００は、画面情報が出力されてくるまで、他の画像を表示していた場合、情報画面レイヤを表示するために、他の画像を受信するチャネルとは異なるチャネルに切り替えて、情報画面レイヤを表示するものであっても良い。例えば、現在、表示装置２００が地上波デジタル放送を表示して、携帯端末１０４が表示装置２００の外部入力端子に接続された場合、表示装置２００が入力チャンネルを外部入力端子からの入力へ変更するものであっても良い。また、接続検知部１５０が、表示装置２００に具備された複数の外部入力端子のうちどの外部入力端子に接続されたかを示す情報を表示装置２００から取得し、接続された外部入力端子からの入力へ変更するチャンネル変更命令を表示装置２００へ出力するものであっても良い。
【０１１１】
このように、レイヤ生成部１１４は、携帯端末１０４と表示装置２００とが接続されたことが検知された場合、表示される表示画像に基づいて、入力操作を行うための入力画面レイヤと、入力操作に応じて変化する情報画面レイヤとを生成する。携帯端末１０４の表示部１２０は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。これにより、携帯端末１０４における表示画面の操作性を向上させることができる。
（第６の実施の形態）
図２８は、本発明の携帯端末の第６の実施の形態を示す図である。本形態は、レイヤ生成部が入力画面レイヤおよび情報画面レイヤを生成するタイミングについて、第１〜５の実施の形態で説明したものとは異なるタイミングを用いた形態である。
【０１１２】
本形態は図２８に示すように、携帯端末１０５と、表示装置２００とが接続された形態である。携帯端末１０５と表示装置２００とは、有線を用いて接続されているものであっても良いし、無線を用いて無線信号をやり取りするものであっても良い。
【０１１３】
表示装置２００は、第２の実施の形態で説明したものと同じものである。
【０１１４】
携帯端末１０５には図２８に示すように、レイヤ生成部１１５と、表示部１２１と、画面情報出力部１３０と、接続検知部１５１とが設けられている。なお、図２８には、本形態における携帯端末１０５に設けられた構成要素のうち、本実施の形態に関わる主要な構成要素の一例を示す。
【０１１５】
画面情報出力部１３０は、第１の実施の形態にて説明したものと同じものである。
【０１１６】
接続検知部１５１は、携帯端末１０５と表示装置２００とが接続されたことを検知する。この接続および切断の検知方法は、第５の実施の形態で説明したものと同じで良い。また、接続検知部１５１は、携帯端末１０５と表示装置２００との接続を検知したとき、その旨を表示部１２１へ通知する。
【０１１７】
表示部１２１は、接続検知部１５１から、携帯端末１０５と表示装置２００との接続を検知した旨が通知されてきた場合、所定の確認表示を行う。
【０１１８】
図２９は、図２８に示した表示部１２１に表示された確認表示の一例を示す図である。
【０１１９】
図２８に示した表示部１２１には図２９に示すように、レイヤ生成部１１５が入力画面レイヤと情報画面レイヤとを生成するかどうかを確認する表示が行われる。具体的には、レイヤ生成部１１５が入力画面レイヤと情報画面レイヤとを生成するかどうかを確認する表示と、その応答としてレイヤ生成を行う場合に入力操作を行うためのボタン「はい」と、その応答としてレイヤ生成を行わない場合に入力操作を行うためのボタン「いいえ」とが、表示部１２１に表示される。表示部１２１は、表示された「はい」への接触・接近の入力操作を検知すると、レイヤ生成を行うための入力操作を検知したと判定する。また、表示された「いいえ」への接触・接近の入力操作を検知すると、レイヤ生成を行わない入力操作を検知したと判定する。また、表示部１２１は、レイヤ生成を行うための入力操作を検知すると、その旨をレイヤ生成部１１５へ通知する。また、表示部１２１は、接続検知部１５１が接続を検知した表示装置２００を識別するための識別子やアイコン等を確認表示として表示するものであっても良い。この場合、表示部１２１は、この表示された識別子やアイコン等への接触・接近の入力操作を検知すると、レイヤ生成を行うための入力操作を検知したと判定する。
【０１２０】
レイヤ生成部１１５は、表示部１２１から、レイヤ生成を行うための入力操作を検知した旨が通知されてきた場合、表示画像に基づいて、入力画面レイヤ（第１の画面レイヤ）と情報画面レイヤ（第２の画面レイヤ）とを生成する。入力画面レイヤおよび情報画面レイヤの生成方法は、第１〜５の実施の形態で説明したものと同じである。
【０１２１】
以下に、図２８に示した形態における表示方法について説明する。
【０１２２】
図３０は、図２８に示した携帯端末１０５および表示装置２００における表示方法の一例を説明するためのシーケンス図である。
【０１２３】
まず、接続検知部１５１が、携帯端末１０５と表示装置２００とが接続されたかどうかを判定する（ステップＳ５１）。接続の検知方法は、第５の実施の形態で説明したものと同じで良い。接続検知部１５１が、携帯端末１０５と表示装置２００との接続を検知すると、表示部１２１は、所定の確認表示を行う（ステップＳ５２）。その後、表示部１２１は、確認表示に対して応答の入力操作があったかどうかを判定する（ステップＳ５３）。表示部１２１は、確認表示に対して応答の入力操作があったかどうかを判定した場合、その入力操作がレイヤ生成を行う場合に操作するボタンへの接触・接近の入力操作であるか、そうでない入力操作であるかを判定する（ステップＳ５４）。表示部１２１は、表示部１２１への入力操作がレイヤ生成を行う場合に操作するボタンへの接触・接近の入力操作であると判定した場合、その旨をレイヤ生成部１１５へ通知する。
【０１２４】
レイヤ生成部１１５は、表示部１２１から、レイヤ生成を行う場合に入力する場合のボタンへの接触・接近を検知した旨が通知されてきた場合、表示画像に基づいて、入力画面レイヤおよび情報画面レイヤを生成する。（ステップＳ５５）。入力画面レイヤおよび情報画面レイヤの生成方法は、第１〜５の実施の形態で説明したものと同じである。
【０１２５】
続いて、表示部１２１は、レイヤ生成部１１５が生成した入力画面レイヤを表示する（ステップＳ５６）。また、画面情報出力部１３０は、レイヤ生成部１１５が生成した情報画面レイヤを表示するための画面情報を表示装置２００へ出力する（ステップＳ５７）。すると、表示装置２００は、出力されてきた画面情報に基づいて情報画面レイヤを情報表示画像として表示する（ステップＳ５８）。表示装置２００における情報画面レイヤの表示の態様は第５の実施の形態で説明したものと同じで良い。
【０１２６】
このように、携帯端末１０５と表示装置２００とが接続されたことが検知された後、表示部１２１は入力画面レイヤおよび情報画面レイヤを生成する確認表示を行う。この確認表示に対して、所定の応答操作があった場合、レイヤ生成部１１５は、表示される表示画像に基づいて、入力操作を行うための入力画面レイヤと、入力操作に応じて変化する情報画面レイヤとを生成する。携帯端末１０５の表示部１２１は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。これにより、携帯端末１０５における表示画面の操作性を向上させることができる。
（第７の実施の形態）
図３１は、本発明の携帯端末の第７の実施の形態を示す図である。
【０１２７】
本形態は図３１に示すように、携帯端末１０６と、表示装置２００と、画像生成装置３００とを有する表示システムである。本形態においては、入力画面レイヤと情報画面レイヤとを生成する機能を携帯端末以外の装置が具備するものとなっている。なお、携帯端末１０６と表示装置２００とは、有線を用いて接続されているものであっても良いし、無線を用いて無線信号をやり取りするものであっても良い。また、携帯端末１０６と画像生成装置３００とは、通信ネットワークを介して互いに接続されているものであっても良いし、互いに直接接続されているものであっても良い。
【０１２８】
表示装置２００は、図７に示したものと同じものである。
【０１２９】
画像生成装置３００は、サービスを提供する者が管理するサーバ等の通信装置である。
【０１３０】
図３１に示すように、画像生成装置３００には、レイヤ生成部３１０と、通信部３２０とが設けられている。なお、図３１には、本形態における画像生成装置３００に設けられた構成要素のうち、本実施の形態に関わる主要な構成要素の一例を示す。
【０１３１】
レイヤ生成部３１０は、携帯端末１０６からの要求により、携帯端末１０６の表示部１２０に表示する表示画像のデータをネットワーク上のＷｅｂサーバやコンテンツサーバ、携帯端末１０６等から、通信部３２０を介して取得する。また、レイヤ生成部３１０は、取得した表示画像のデータから、入力画面レイヤと情報画面レイヤとを分離することで、入力画面レイヤおよび情報画面レイヤを生成する。このとき、レイヤ生成部３１０は、取得した表示画像のデータを解析し、当該表示画像のうち、どの部分が入力ツール画像であって、どの部分が情報表示画像であるかを判定し、入力ツール画像が含まれる入力画面レイヤと、情報表示画像が含まれる情報画面レイヤとを生成する。
【０１３２】
通信部３２０は、携帯端末１０６との間で通信を行う機能を具備する。また、通信部３２０は、レイヤ生成部３１０が生成した入力画面レイヤを表示するための画面情報および情報画面レイヤを表示するための画面情報を携帯端末１０６へ送信する。
【０１３３】
図３１に示すように、携帯端末１０６には、表示部１２０と、画面情報出力部１３０と、通信部１６０とが設けられている。なお、図３１には、本形態における携帯端末１０６に設けられた構成要素のうち、本実施の形態に関わる主要な構成要素の一例を示す。
【０１３４】
表示部１２０は、通信部１６０が受信した入力画面レイヤを表示するための画面情報に基づいて、入力ツール画像が含まれる入力画面レイヤを表示する。
【０１３５】
画面情報出力部１３０は、通信部１６０が受信した情報画面レイヤを表示するための画面情報を表示装置２００へ出力する。
【０１３６】
通信部１６０は、画像生成装置３００との間で通信を行う機能を具備する。
【０１３７】
以下に、図３１に示した表示システムにおける表示方法について説明する。
【０１３８】
図３２は、図３１に示した表示システムにおける表示方法の一例を説明するためのシーケンス図である。
【０１３９】
レイヤ生成部３１０は、携帯端末１０６からの要求により、携帯端末１０６の表示部１２０に表示する表示画像のデータをネットワーク上のＷｅｂサーバやコンテンツサーバ、携帯端末１０６等から、通信部３２０を介して取得する。そして、レイヤ生成部３１０は、取得した表示画像のデータから、入力画面レイヤと情報画面レイヤとを分離することで、入力画面レイヤおよび情報画面レイヤを生成する（ステップＳ６１）。このとき、レイヤ生成部３１０は、取得した表示画像を解析し、当該表示画像のうち、どの部分が入力ツール画像であって、どの部分が情報表示画像であるかを判定し、入力ツール画像が含まれる入力画面レイヤと、情報表示画像が含まれる情報画面レイヤとを生成する。レイヤ生成部３１０が生成した入力画面レイヤおよび情報画面レイヤは、図４および図５を用いてそれぞれ説明したものと同じである。
【０１４０】
続いて、通信部３２０は、レイヤ生成部３１０が生成した入力画面レイヤを表示するための画面情報および情報画面レイヤを表示するための画面情報を携帯端末１０６へ送信する（ステップＳ６２）。
【０１４１】
続いて、通信部１６０が、画像生成装置３００から送信されてきた入力画面レイヤを表示するための画面情報および情報画面レイヤを表示するための画面情報を受信する。すると、表示部１２０は、通信部１６０が受信した入力画面レイヤを表示するための画面情報に基づいて、入力ツール画像が含まれる入力画面レイヤを表示する（ステップＳ６３）。ステップＳ６３にて表示部１２０が表示する入力画面レイヤを表示する一態様は図１０、図１７および図２４を用いて説明したものと同じである。
【０１４２】
また、画面情報出力部１３０は、通信部１６０が受信した情報画面レイヤを表示するための画面情報を表示装置２００へ出力する（ステップＳ６４）。
【０１４３】
表示装置２００は、携帯端末１０６から出力されてきた情報画面レイヤを表示するための画面情報に基づいて、情報表示画像が含まれる情報画面レイヤを表示する（ステップＳ６５）。ステップＳ６５にて表示装置２００が情報画面レイヤを表示する一態様は、図１１、図１８および図２５を用いて説明したものと同じである。
【０１４４】
図３３は、図３１に示した形態の変形例を示す図である。
【０１４５】
本形態は図３３に示すように、携帯端末１０７と、表示装置２００と、画像生成装置３０１とを有する表示システムである。本形態においては、入力画面レイヤと情報画面レイヤとを生成する機能および生成した入力画面レイヤを表示するための画面情報および情報画面レイヤを表示するための画面情報を出力する機能を携帯端末以外の装置が具備するものとなっている。なお、携帯端末１０７と表示装置２００とは、有線を用いて接続されているものであっても良いし、無線を用いて無線信号をやり取りするものであっても良い。また、携帯端末１０７と画像生成装置３０１とは、通信ネットワークを介して互いに接続されているものであっても良いし、互いに直接接続されているものであっても良い。
【０１４６】
表示装置２００は、図７に示したものと同じものである。
【０１４７】
画像生成装置３０１は、サービスを提供する者が管理するサーバ等の通信装置である。
【０１４８】
図３３に示すように、画像生成装置３０１には、レイヤ生成部３１０と、通信部３２０と、画面情報送信部３３０とが設けられている。なお、図３３には、本形態における画像生成装置３０１に設けられた構成要素のうち、本実施の形態に関わる主要な構成要素の一例を示す。
【０１４９】
レイヤ生成部３１０は、図３１に示したものと同じものである。
【０１５０】
画面情報送信部３３０は、レイヤ生成部３１０が生成した入力画面レイヤを表示するための画面情報を、通信部３２０を介して携帯端末１０７へ送信する。また、画面情報送信部３３０は、レイヤ生成部３１０が生成した情報画面レイヤを表示するための画面情報を、通信部３２０を介して表示装置２００へ送信する。
【０１５１】
図３３に示すように、携帯端末１０７には、表示部１２０と、通信部１６０とが設けられている。なお、図３３には、本形態における携帯端末１０６に設けられた構成要素のうち、本実施の形態に関わる主要な構成要素の一例を示す。
【０１５２】
表示部１２０は、通信部１６０が受信した入力画面レイヤを表示するための画面情報に基づいて、入力ツール画像が含まれる入力画面レイヤを表示する。
【０１５３】
通信部１６０は、画像生成装置３００との間で通信を行う機能を具備する。
【０１５４】
以下に、図３３に示した表示システムにおける表示方法について説明する。
【０１５５】
図３４は、図３３に示した表示システムにおける表示方法の一例を説明するためのシーケンス図である。
【０１５６】
レイヤ生成部３１０は、携帯端末１０７からの要求により、携帯端末１０７の表示部１２０に表示する表示画像のデータをネットワーク上のＷｅｂサーバやコンテンツサーバ、携帯端末１０７等から、通信部３２０を介して取得する。そして、レイヤ生成部３１０は、取得した表示画像のデータから、入力画面レイヤと情報画面レイヤとを分離することで、入力画面レイヤおよび情報画面レイヤを生成する（ステップＳ７１）。このとき、レイヤ生成部３１０は、取得した表示画像を解析し、当該表示画像のうち、どの部分が入力ツール画像であって、どの部分が情報表示画像であるかを判定し、入力ツール画像が含まれる入力画面レイヤと、情報表示画像が含まれる情報画面レイヤとを生成する。レイヤ生成部３１０が生成した入力画面レイヤおよび情報画面レイヤは、図４および図５を用いてそれぞれ説明したものと同じである。
【０１５７】
続いて、画面情報送信部３３０は、レイヤ生成部３１０が生成した入力画面レイヤを表示するための画面情報を、通信部３２０を介して携帯端末１０７へ送信する（ステップＳ７２）。通信部１６０が、画像生成装置３００から送信されてきた入力画面レイヤを表示するための画面情報を受信すると、表示部１２０は、通信部１６０が受信した入力画面レイヤを表示するための画面情報に基づいて、入力ツール画像が含まれる入力画面レイヤを表示する（ステップＳ７３）。ステップＳ７３にて表示部１２０が表示する入力画面レイヤを表示する一態様は図１０、図１７および図２４を用いて説明したものと同じである。
【０１５８】
また、画面情報送信部３３０は、通信部３２０は、レイヤ生成部３１０が生成した情報画面レイヤを表示するための画面情報を、通信部３２０を介して表示装置２００へ送信する（ステップＳ７４）。
【０１５９】
表示装置２００は、画像生成装置３０１から送信されてきた情報画面レイヤを表示するための画面情報に基づいて、情報表示画像が含まれる情報画面レイヤを表示する（ステップＳ７５）。ステップＳ７５にて表示装置２００が情報画面レイヤを表示する一態様は、図１１、図１８および図２５を用いて説明したものと同じである。
【０１６０】
このように、第１〜６の実施の形態において、携帯端末が担っていた機能の一部を、外部のサーバが担うことで、携帯端末の負荷を軽減することができる。
（第８の実施の形態）
図３５は、本発明の携帯端末の第８の実施の形態を示す図である。
【０１６１】
本形態は図３５に示すように、携帯端末１０８と、表示装置２００とが接続された形態である。携帯端末１０８と表示装置２００とは、有線を用いて接続されているものであっても良いし、無線を用いて無線信号をやり取りするものであっても良い。
【０１６２】
表示装置２００は、第２の実施の形態で説明したものと同じものである。
【０１６３】
携帯端末１０８には図３５に示すように、レイヤ生成部１１０と、表示部１２２と、画面情報出力部１３０と、撮影部１７０とが設けられている。なお、図３５には、本形態における携帯端末１０８に設けられた構成要素のうち、本実施の形態に関わる主要な構成要素の一例を示す。
【０１６４】
レイヤ生成部１１０および画面情報出力部１３０は、第１の実施の形態にて説明したものと同じものである。
【０１６５】
撮影部１７０は、静止画や動画の撮影を行うカメラ等である。
【０１６６】
表示部１２２は、第１の実施の形態で説明した表示部１２０が具備する機能に加えて、表示装置２００が表示している画面のうち、撮影部１７０が撮影した部分を、レイヤ生成部１１０が生成した情報画面レイヤから抽出して、所定の倍率で拡大表示する。レイヤ生成部１１０が生成した情報画面レイヤは、携帯端末１０８に具備されたメモリに記憶されており、表示部１２２は、撮影部１７０が撮影した部分とメモリに記憶されている情報画面レイヤとを照合する。そして、表示部１２２は、メモリに記憶されている情報画面レイヤから、撮影部１７０が撮影した部分に相当する部分を抽出して、所定の倍率で拡大表示する。この拡大表示する倍率は、撮影部１７０が撮影した部分が表示装置２００にて表示されている大きさよりも、表示部１２２にて表示される大きさの方が大きくなるように拡大する倍率である。
【０１６７】
以下に、図３５に示した形態における表示方法について説明する。
【０１６８】
図３６は、図３５に示した携帯端末１０８および表示装置２００における表示方法の一例を説明するためのシーケンス図である。
【０１６９】
所定のタイミングで、レイヤ生成部１１０は、表示部１２２に表示されている表示画像に基づいて、入力画面レイヤと情報画面レイヤとを生成する（ステップＳ８１）。レイヤ生成部１１０が入力画面レイヤと情報画面レイヤとを生成するタイミングは、第２の実施の形態で説明したものと同じで良い。
【０１７０】
続いて、表示部１２２は、レイヤ生成部１１０が生成した入力画面レイヤを表示する（ステップＳ８２）。また、画面情報出力部１３０は、レイヤ生成部１１０が生成した情報画面レイヤを表示するための画面情報を表示装置２００へ出力する（ステップＳ８３）。この画面情報は、表示画像のうちの情報表示画像が含まれる情報画面レイヤを表示装置２００に表示させるための情報である。すると、表示装置２００は、出力されてきた画面情報に基づいて情報画面レイヤを情報表示画像として表示する（ステップＳ８４）。
【０１７１】
その後、撮影部１７０が、表示装置２００が表示している画面の一部を撮影すると（ステップＳ８５）、表示部１２２は、撮影部１７０が撮影した部分と情報画面レイヤとを照合し、情報画面レイヤから、撮影部１７０が撮影した部分に相当する部分を抽出する（ステップＳ８６）。
【０１７２】
図３７は、図３５に示した撮影部１７０が、表示装置２００が表示している画面の一部を撮影している様子の一例を示す図である。
【０１７３】
図３７に示すように、表示装置２００が表示している情報表示画像１２０２を携帯端末１０８が撮影をしている。このとき、表示部１２２は、撮影部１７０が撮影している画像をモニタ表示する。
【０１７４】
図３８は、図３５に示した表示部１２２が、撮影部１７０が撮影した部分と情報画面レイヤとを照合している様子の一例を示す図である。
【０１７５】
図３８に示すように、表示部１２２は、撮影部１７０が撮影した部分と情報画面レイヤ１１０２とを照合する。そして、表示部１２２は、情報画面レイヤ１１０２から、撮影部１７０が撮影した部分となる一点鎖線で囲んだ部分を抽出する。
【０１７６】
続いて、表示部１２２は、抽出した部分を所定の倍率で拡大表示する（ステップＳ８７）。
【０１７７】
図３９は、ステップＳ８７にて、表示部１２２が抽出した部分を拡大表示した表示例を示す図である。
【０１７８】
図３９に示すように、表示部１２２は、図３８にて一点鎖線で囲んだ部分を所定の倍率で拡大表示する。これにより、携帯端末１０８を拡大鏡のように使用することができる。さらに、表示装置２００に表示され、撮影部１７０が撮影した画像そのものを拡大表示するのではなく、表示装置２００に表示されている画面のうち、撮影部１７０が撮影した部分を携帯端末１０８に記憶されている画面情報から抽出して表示するため、鮮明な画面表示を得ることができる。
【０１７９】
なお、外部の表示装置に表示されている画面情報を記憶している装置において、ステップＳ８５〜Ｓ８７の処理を独立して行うものであっても良い。
【０１８０】
このように、レイヤ生成部１１０は、表示される表示画像に基づいて、入力操作を行うための入力画面レイヤと、入力操作に応じて変化する情報画面レイヤとを生成する。携帯端末１０８の表示部１２２は入力画面レイヤを表示する。また、画面情報出力部１３０は、外部に接続された表示装置２００に情報画面レイヤを表示させるための画面情報を出力する。また、表示装置２００が、出力されてきた画面情報に基づいて情報画面レイヤを表示する。さらに、携帯端末１０８は、撮影部１７０が撮影した部分を自身に記憶されている画面情報から抽出して拡大表示する。これにより、携帯端末１０８における表示画面の操作性を向上させることができる。
【０１８１】
以上、第１〜７の実施の形態を説明したが、それぞれの実施の形態を単独で実施しても、組み合わせて実施してもかまわない。
【０１８２】
上述した携帯端末１００〜１０８、画像生成装置３００，３０１それぞれに設けられた各構成要素が行う処理は、目的に応じてそれぞれ作製された論理回路で行うようにしても良い。また、処理内容を手順として記述したコンピュータプログラム（以下、プログラムと称する）を携帯端末１００〜１０８、画像生成装置３００，３０１それぞれにて読取可能な記録媒体に記録し、この記録媒体に記録されたプログラムを携帯端末１００〜１０８、画像生成装置３００，３０１それぞれに読み込ませ、実行するものであっても良い。携帯端末１００〜１０８、画像生成装置３００，３０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体の他、携帯端末１００〜１０８、画像生成装置３００，３０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、携帯端末１００〜１０８、画像生成装置３００，３０１それぞれに設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１８３】
上記の実施の形態の一部または全部は、以下の付記のようにも記載され得るが、以下には限られない。
（付記１）表示画像に基づいて、第１の画面レイヤと第２の画面レイヤとを生成するレイヤ生成部と、
タッチパネル機能を具備し、前記レイヤ生成部が生成した第１の画面レイヤを表示する表示部と、
前記レイヤ生成部が生成した第２の画面レイヤを表示するための画面情報を、外部に接続された表示装置へ出力する画面情報出力部とを有し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する携帯端末。
（付記２）前記レイヤ生成部は、前記表示画像から入力ツール画像と情報表示画像とを分離し、前記入力ツール画像を含む画面を前記第１の画面レイヤとして生成し、前記情報表示画像を含む画面を前記第２の画面レイヤとして生成する、付記１に記載の携帯端末。
（付記３）アプリケーションの種類を示すアプリケーション種類と、前記情報を入力するための画像からなる画面とを対応付けたテーブルを記憶する記憶部を有し、
前記レイヤ生成部は、実行されているアプリケーションと前記テーブルとに基づいて、前記アプリケーションの種類に対応する前記情報を入力するための画像からなる画面を前記第１の画面レイヤとして生成する、付記１に記載の携帯端末。
（付記４）前記レイヤ生成部は、前記表示画像のデータを解析し、前記表示画像のデータに他のデータへのリンクが設定されている場合、前記表示画像のデータから前記リンクを抽出し、該抽出した前記リンクのそれぞれに識別子を付与し、前記表示画像の前記リンクに前記識別子を付加した画面を前記第２の画面レイヤとして生成し、前記識別子を選択する画像を含む画面を前記第１の画面レイヤとして生成する、付記１に記載の携帯端末。
（付記５）前記レイヤ生成部は、前記表示画像のデータを解析し、２つのディスプレイに異なる表示を行うものである場合、前記表示画像のデータから、該２つのディスプレイのうち第１のディスプレイに表示される入力ツールを表示するデータを抽出し、該抽出した入力ツールを表示するデータに対応する画像からなる画面を前記第１の画面レイヤとして生成し、前記入力ツールを表示するデータ以外のデータから、前記２つのディスプレイのうち第２のディスプレイに表示される画像からなる画面を前記第２の画面レイヤとして生成する、付記１に記載の携帯端末。
（付記６）前記表示部は、前記レイヤ生成部が生成した第１の画面レイヤを所定の倍率で拡大して表示する、付記１から５のいずれか１項に記載の携帯端末。
（付記７）当該携帯端末と前記表示装置とが接続されたことを検知する接続検知部を有し、
前記レイヤ生成部は、前記接続検知部が、当該携帯端末と前記表示装置とが接続されたことを検知した場合、前記第１の画面レイヤと前記第２の画面レイヤとを生成する、付記１から６いずれか１項に記載の携帯端末。
（付記８）当該携帯端末と前記表示装置とが接続されたことを検知する接続検知部を有し、
前記表示部は、前記接続検知部が、当該携帯端末と前記表示装置とが接続されたことを検知した場合、所定の確認表示を行い、
前記レイヤ生成部は、前記確認表示に対する入力に応じて、前記第１の画面レイヤと前記第２の画面レイヤとを生成する、付記１から６いずれか１項に記載の携帯端末。
（付記９）撮影部を有し、
前記表示部は、前記表示装置が表示している画面のうち、前記撮影部が撮影した部分を前記第２の画面レイヤから抽出して、所定の倍率で拡大表示する、付記１から８いずれか１項に記載の携帯端末。
（付記１０）タッチパネル機能を具備した表示部を具備する携帯端末と、前記表示部に表示する表示画像を生成する画像生成装置と、表示装置とを有する表示システムであって、
前記画像生成装置は、前記表示画像に基づいて、第１の画面レイヤと第２の画面レイヤとを生成するレイヤ生成部を有し、
前記表示部は、前記レイヤ生成部が生成した第１の画面レイヤを表示し、
前記表示装置は、前記レイヤ生成部が生成した第２の画面レイヤを表示し、
前記レイヤ生成部は、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する表示システム。
（付記１１）表示画像に基づいて、第１の画面レイヤと第２の画面レイヤとを生成するレイヤ生成処理と、
タッチパネル機能を具備した表示部に、前記生成した第１の画面レイヤを表示させる処理と、
前記第２の画面レイヤを表示するための画面情報を、外部に接続された表示装置へ出力する処理とを行い、
前記レイヤ生成処理では、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する表示方法。
（付記１２）コンピュータに、
表示画像に基づいて、第１の画面レイヤと第２の画面レイヤとを生成するレイヤ生成手順と、
タッチパネル機能を具備した表示部に、前記生成した第１の画面レイヤを表示させる手順と、
前記第２の画面レイヤを表示するための画面情報を、外部に接続された表示装置へ出力する手順とを実行させ、
前記レイヤ生成手順として、前記表示部へのタッチ操作を用いて外部から情報を入力するための画像からなる画面を前記第１の画面レイヤとして生成し、該第１の画面レイヤが前記表示部に表示された場合に該第１の画面レイヤに対する入力に基づいて表示が変化する画像からなる画面を前記第２の画面レイヤとして生成する手順を実行させるためのプログラム。
【符号の説明】
【０１８４】
１００〜１０８    携帯端末
１１０〜１１５，３１０    レイヤ生成部
１２０〜１２２    表示部
１３０    画像情報出力部
１４０    記憶部
１５０、１５１    接続検知部
１６０    ３２０    通信部
１７０    撮影部
２００    表示装置
３００，３０１    画像生成装置
３３０    画面情報送信部
１１０１，１１１１，１１２１    入力画面レイヤ
１１０２，１１１２，１１２２    情報画面レイヤ
１２００，１２１０    表示画像
１２０１，１２１１，１２２１    入力ツール画像
１２０２，１２１２，１２２２    情報表示画像
１１０１１    巻き戻しボタン
１１０１２    再生ボタン
１１０１３    早送りボタン
【図１】
2015172623.tif 000003
【図２】
2015172623.tif 000004
【図３】
2015172623.tif 000005
【図４】
2015172623.tif 000006
【図５】
2015172623.tif 000007
【図６】
2015172623.tif 000008
【図７】
2015172623.tif 000009
【図８】
2015172623.tif 000010
【図９】
2015172623.tif 000011
【図１０】
2015172623.tif 000012
【図１１】
2015172623.tif 000013
【図１２】
2015172623.tif 000014
【図１３】
2015172623.tif 000015
【図１４】
2015172623.tif 000016
【図１５】
2015172623.tif 000017
【図１６】
2015172623.tif 000018
【図１７】
2015172623.tif 000019
【図１８】
2015172623.tif 000020
【図１９】
2015172623.tif 000021
【図２０】
2015172623.tif 000022
【図２１】
2015172623.tif 000023
【図２２】
2015172623.tif 000024
【図２３】
2015172623.tif 000025
【図２４】
2015172623.tif 000026
【図２５】
2015172623.tif 000027
【図２６】
2015172623.tif 000028
【図２７】
2015172623.tif 000029
【図２８】
2015172623.tif 000030
【図２９】
2015172623.tif 000031
【図３０】
2015172623.tif 000032
【図３１】
2015172623.tif 000033
【図３２】
2015172623.tif 000034
【図３３】
2015172623.tif 000035
【図３４】
2015172623.tif 000036
【図３５】
2015172623.tif 000037
【図３６】
2015172623.tif 000038
【図３７】
2015172623.tif 000039
【図３８】
2015172623.tif 000040
【図３９】
2015172623.tif 000041